(57)【特許請求の範囲】
【請求項１】
機器を内部に収容し、冷却空気を取り入れる吸気面と熱を帯びた温熱空気を排気する排気面とを有する複数の収容ラックと、
温熱空気を吸い込んで冷却空気を送り出す空気調和装置と、
前記収容ラックの吸気面または排気面に臨む通路の上部を覆って、冷却空気の流通部と温熱空気の流通部を隔成する上部遮蔽体と、を備え、
前記上部遮蔽体は、前記通路の内外を連通する開口面積の異なる複数の開口部と、前記通路の内外の圧力差に応じて各前記開口部を開放して前記通路の内外の圧力差を低減する複数の避圧ダンパーと、
各前記開口部の近傍部の前記通路の内外の圧力差を検出する差圧センサと、
各前記避圧ダンパーを開閉する開閉アクチュエータと、
各前記開閉アクチュエータの作動を制御する制御装置と、
を有し、
各前記避圧ダンパーの対応する前記開口部を開放する閾値圧力差は、対応する前記開口部の開口面積が大きいものほど大きく設定されており、
前記制御装置は、各前記差圧センサの検出値が前記閾値圧力差以上になったときに、対応する前記避圧ダンパーを開作動させる
ことを特徴とする電算機室空調システム。
【請求項２】
各前記避圧ダンパーは、対応する前記開口部を開閉する蓋体と、前記蓋体を前記上部遮蔽体に回動可能に連結するヒンジ部と、を備えていることを特徴とする請求項１に記載の電算機室空調システム。
【請求項３】
各前記避圧ダンパーは、対応する前記開口部を開閉する蓋体を備え、
各前記避圧ダンパーの前記閾値圧力差は、対応する前記開口部の開口面積が大きいものほど厚みが厚くなるように前記蓋体の厚みを異ならせて設定されていることを特徴とする請求項１に記載の電算機室空調システム。
【請求項４】
各前記避圧ダンパーは、対応する前記開口部を開閉する蓋体を備え、
各前記避圧ダンパーの前記閾値圧力差は、対応する前記開口部の開口面積が大きいものほど比重が重くなるように前記蓋体の比重を異ならせて設定されていることを特徴とする請求項１に記載の電算機室空調システム。
【請求項５】
前記蓋体を前記上部遮蔽体に回動可能に連結するヒンジ部、をさらに備えていることを特徴とする請求項３または４に記載の電算機室空調システム。
【請求項６】
複数の前記避圧ダンパーの少なくとも一つは、前記開口部に対する開作動をロック可能なロック機構を備えていることを特徴とする請求項１〜５のいずれか１項に記載の電算機室空調システム。
【請求項７】
前記制御装置は、運転状況に応じて、前記閾値圧力差に拘わらず任意の前記避圧ダンパーの開作動をロックするロック制御部を有していることを特徴とする請求項１〜６のいずれか1項に記載の電算機室空調システム。
【発明の詳細な説明】
【技術分野】
【０００１】
この発明は、電子計算機等の各種機器を収容する収容ラックが複数配置された電算機室の電算機室空調システムに関するものである。
【背景技術】
【０００２】
電算機室では、電子計算機や情報機器、通信装置等の機器が複数の収容ラックに収容されて高集約化して配置されている。そして、各収容ラックに収容される機器は使用時に熱を発するが、その運用温度は機器の安定作動を得るために低く抑える必要がある。
【０００３】
例えば、複数の機器が収容ラックに設置される電算機室では、空気調和装置の冷却空気を収容ラックの前面側の通路に吹き出すようになっている。
ここで採用される電算機室空調システムは、機器を収容する各収容ラックの前面側に冷却空気を取り入れるための吸気面が設けられるとともに、各収容ラックの背面側または上面側に熱を帯びた温熱空気を外部に排気するための排気面が設けられている。電算機室内では、複数の収容ラックが、通路を挟んで吸気面を対向させるようにして配置され、空気調和装置から吹き出された冷却空気がラック間の通路を通って各収容ラックに供給される。そして、各収容ラックで機器を冷却して昇温した空気（温熱空気）は空気調和装置の吸い込み口に再度戻される。
【０００４】
この種の電算機室空調システムにおいては、吸気面側への温熱空気の回り込みを招くことなく収容ラック内の機器を効率良く冷却するために、通路の両側の収容ラックの間が、通路の上部を覆う上部遮蔽体と通路の端部を覆う端部遮蔽体とによって閉塞されている。また、各収容ラックには、機器を冷却して熱を帯びた温熱空気を外部に放出するために、背面側や上面側に放熱ファンが設置されている。
【０００５】
また、この種の電算機室空調システムでは、排熱側の温熱が各部の隙間を通して冷却側の通路に入り込むのを防ぐために、空気調和装置の冷気供給能力が収容ラックの排熱ファンでの排気能力よりも僅かに高く設定されている。しかし、通路に供給される空気調和装置からの送風量が、何等かの原因によって収容ラック側の放熱ファンの排熱風量を大幅に上回ることがあると、通路の内外の圧力差が大きくなって、通路の周囲を被う遮蔽体や排気ファンに大きな負荷が作用することが懸念される。
【０００６】
このため、これに対処し得る電算機室空調システムとして、収容ラック間の冷気導入側の通路の上部を覆う上部遮蔽体に、通路の内外を連通する開口部と、通路の内外の圧力差に応じて前記開口部を開閉する避圧ダンパーが設けられたものが案出されている。この電算機室空調システムにおいては、収容ラック間の冷気導入側の通路の圧力が収容ラックの排気側の圧力よりも大幅に高まると、避圧ダンパーが開口部を開き、それによって冷気導入側の通路内の圧力を減圧する（例えば、特許文献１参照）。
【０００７】
また、特許文献１には、上部遮蔽体の開口部を開閉する避圧ダンパーが、相互に係合離脱可能な三つの蓋部品を備える電算機室空調システムが記載されている。この電算機室空調システムの避圧ダンパーは、円板状の第１の蓋部品と、第１の蓋部品が係合離脱する円環状の第２の蓋部品と、第２の蓋部品が係合離脱する円環状の第３の蓋部品と、を備え、第３の蓋部品が上部遮蔽体の開口部に対して開閉可能にされている。この避圧ダンパーは、通路の内外の圧力差が比較的小さいときには、第１の蓋部品が第２の蓋部品から離脱して上部遮蔽体の内外を小開口面積で連通する。また、通路の内外の圧力差がさらに大きくなると、その圧力差に応じて、最初に第２の蓋部品が第３の蓋部品から離脱して上部遮蔽体の内外を中開口面積で連通し、その後に第３の蓋部品が上部遮蔽体の開口部から離脱して上部遮蔽体の内外を大開口面積で連通する。したがって、この電算機室空調システムにおいては、通路の内外の圧力差に応じた開口面積で通路内の圧力を外部に逃がすことができる。
【先行技術文献】
【特許文献】
【０００８】
【特許文献１】特開２０１４−１９７２４４号公報
【発明の概要】
【発明が解決しようとする課題】
【０００９】
しかしながら、特許文献１に記載の電算機室空調システムにおいては、第１の蓋部品と第２の蓋部品が通路の内外の圧力差に応じて変位する部材に対して係合離脱する構造とされているため、第１の蓋部品と第２の蓋部品の安定した作動を得ることが難しい。
【００１０】
そこでこの発明は、通路の内外の圧力差に応じた開口面積で通路内の圧力を外部に安定的に逃がすことができる電算機室空調システムを提供しようとするものである。
【課題を解決するための手段】
【００１１】
この発明に係る電算機室空調システムは、上記課題を解決するために、以下の構成を採用した。
機器を内部に収容し、冷却空気を取り入れる吸気面と熱を帯びた温熱空気を排気する排気面とを有する複数の収容ラックと、温熱空気を吸い込んで冷却空気を送り出す空気調和装置と、前記収容ラックの吸気面または排気面に臨む通路の上部を覆って、冷却空気の流通部と温熱空気の流通部を隔成する上部遮蔽体と、を備え、前記上部遮蔽体は、前記通路の内外を連通する開口面積の異なる複数の開口部と、前記通路の内外の圧力差に応じて各前記開口部を開放して前記通路の内外の圧力差を低減する複数の避圧ダンパーと、各前記開口部の近傍部の前記通路の内外の圧力差を検出する差圧センサと、各前記避圧ダンパーを開閉する開閉アクチュエータと、各前記開閉アクチュエータの作動を制御する制御装置と、を有し、各前記避圧ダンパーの対応する前記開口部を開放する閾値圧力差は、対応する前記開口部の開口面積が大きいものほど大きく設定されており、前記制御装置は、各前記差圧センサの検出値が前記閾値圧力差以上になったときに、対応する前記避圧ダンパーを開作動させるようにした。
【００１２】
上記の構成により、通路の内外の圧力差が増大すると、上部遮蔽体上の複数の開口部が、対応する避圧ダンパーによって開口面積の小さいものから順次開かれるようになる。これにより、通路の内外の圧力差に応じた開口面積で通路内の圧力が外部に逃がされる。このとき、各避圧ダンパーは、上部遮蔽体上の各開口部に対して開閉作動するため、常に安定姿勢で開口部を開閉することが可能になる。
さらに、各差圧センサによる検出値に基づく制御装置による制御により、所定の開口面積の開口部が避圧ダンパーによって開かれることになる。各避圧ダンパーは開閉アクチュエータによって開閉操作されるため、対応する開口部を安定して開閉させることができる。
【００１３】
各前記避圧ダンパーは、対応する前記開口部を開閉する蓋体と、前記蓋体を前記上部遮蔽体に回動可能に連結するヒンジ部と、を備える構成としても良い。
この場合、各避圧ダンパーの蓋体が、常にヒンジ部によって拘束されて一定軌道で動作するようになる。したがって、各避圧ダンパーの蓋体の作動が安定する。
【００１４】
各前記避圧ダンパーは、対応する前記開口部を開閉する蓋体を備え、各前記避圧ダンパーの前記閾値圧力差は、対応する開口部の開口面積が大きいものほど厚みが厚くなるように前記蓋体の厚みを異ならせて設定されるようにしても良い。
この場合、蓋体の厚みの相違により、通路の内外の圧力差に対する各蓋体の開き易さがそれぞれ異なることになる。
【００１５】
各前記避圧ダンパーは、対応する前記開口部を開閉する蓋体を備え、各前記避圧ダンパーの前記閾値圧力差は、対応する開口部の開口面積が大きいものほど比重が重くなるように前記蓋体の比重を異ならせて設定されるようにしても良い。
この場合、蓋体の比重の相違により、通路の内外の圧力差に対する各蓋体の開き易さがそれぞれ異なることになる。
【００１６】
複数の前記避圧ダンパーの少なくとも一つは、前記開口部に対する開作動をロック可能なロック機構を備えている構成であっても良い。
この場合、実際のシステムの運転時に、作動が不要と判断できる避圧ダンパーに対しては、ロック機構によってその避圧ダンパーの開作動をロックすることができる。したがって、この構成を採用した場合には、実際のシステムの運転に即して避圧ダンパーの作動・非作動を調整することができる。
【００１８】
前記制御装置は、運転状況に応じて、前記閾値圧力差に拘わらず任意の前記避圧ダンパーの開作動をロックするロック制御部を有する構成であっても良い。
この場合、実際のシステムの運転時に、作動が不要と判断できる避圧ダンパーがあるときには、制御装置が、ロック制御部によってその避圧ダンパーの開作動をロックする。したがって、実際のシステムの運転に即して制御装置によって避圧ダンパーの作動・非作動を自動調整することができる。
【発明の効果】
【００１９】
この発明によれば、上部遮蔽体が、開口面積の異なる複数の開口部と、通路の内外の圧力差に応じて開口部を開放する複数の避圧ダンパーと、を有し、各避圧ダンパーの対応する開口部を開放する閾値圧力差が、対応する開口部の開口面積が大きいものほど大きく設定されているため、通路の内外の圧力差に応じた開口面積で通路内の圧力を外部に安定的に逃がすことができる。特に、この発明においては、各避圧ダンパーによって開閉される開口部が、固定構造物である上部遮蔽体に設けられているため、各避圧ダンパーの開閉作動を安定させることができる。
また、この発明によれば、複数の開口部が上部遮蔽体上に分散して配置されるため、大流量の冷却空気を開口部から外部に逃がす場合にも、上部遮蔽体に偏った変形応力が作用するのを抑制することができる。したがって、上部遮蔽体の変形を防止することができる。
【図面の簡単な説明】
【００２０】
【図１】この発明の第１の実施形態の電算機室空調システムの概要を示す斜視図である。
【図２】この発明の第１の実施形態の電算機室空調システムの概要を示す模式的な断面図である。
【図３】この発明の第１の実施形態の電算機室空調システムの上部遮蔽体の斜視図である。
【図４】この発明の第１の実施形態の電算機室空調システムの図２の一部を拡大した断面図である。
【図５】この発明の第１の実施形態の電算機室空調システムの変形例を示す上部遮蔽体の上面図である。
【図６】この発明の第２の実施形態の電算機室空調システムの概要を示す模式的な断面図である。
【図７】この発明の第３の実施形態の電算機室空調システムの図４と同様の断面図である。
【図８】この発明の第４の実施形態の電算機室空調システムの図４と同様の断面図である。
【図９】この発明の実施形態の電算機室空調システムの他の変形例を示す模式的な上面図である。
【発明を実施するための形態】
【００２１】
以下、この発明の一実施形態を図面に基づいて説明する。
図１は、第１の実施形態に係る電算機室空調システム１００の全体構成を示す図であり、図２は、同電算機室空調システム１００の模式的な断面を示す図である。
図１、図２に示すように、電算機室空調システム１００は、例えば略箱状に形成された電算機室１０１内において利用されるものである。電算機室１０１は、床１と図示しない壁と天井とで囲まれている。床１から上方に離間して二重床２が設けられ、その二重床２上に複数台の収容ラック３が例えば２列対向して設置されている。二重床２上には、これらの２列の収容ラック３に挟まれた通路４が形成されている。二重床２の下には内部空間５が設けられ、内部空間５に各収容ラック３の電気配線や後述する空気調和装置６の電気配線などが収容されている。
【００２２】
また、二重床２の長手方向に延びる通路４上には多数の吹き出し孔８が形成されていている。床下の内部空間５と通路４とは、これら複数の吹き出し孔８を介して通気可能に連通している。
通路４の外側の二重床２上には、空気調和装置６が設置されている。空気調和装置６では、収容ラック３から排気された温熱空気を吸込口６ａから吸い込んで冷却し、空気調和装置６内で冷却された空気（冷却空気）を底面の吹出口６ｂから内部空間５内に送り出す。
【００２３】
空気調和装置６から内部空間５に供給された冷却空気は吹き出し孔８を通して通路４上に給気される。各収容ラック３は箱状に形成され、内部に電子計算機や通信機器等の機器７が収容されている。各収容ラック３の筐体３ａは、前面側に吸気面３ｂ設けられ、上面側に排気面３ｄが設けられている。排気面３ｄには排気ファン３ｃが設けられている。各収容ラック３は、通路４側から冷却空気が吸気され、その冷却空気によって機器７を冷却する。機器７を冷却した空気は温熱空気となって排気ファン３ｃから外部に排出される。
【００２４】
この電算機室空調システム１００では、通路４を挟んで対向して配列された収容ラック３の上面間に上部遮蔽体１０が架設されている。この実施形態の場合、上部遮蔽体１０は底部のない箱型形状に形成されている。上部遮蔽体１０は、通路４内の冷却空気の流通部を、収容ラック３よりも上方側の温熱空気の流通部と隔成する。また、通路４の延出方向の両側の端部には、通路４を挟んで対向する両側の収容ラック３の側端部間を連結する一対の端部遮蔽体１１が取り付けられている。これらの端部遮蔽体１１は、通路４内の冷却空気の流通部を、端部の収容ラック３よりも外側の温熱空間の流通部と隔成する。この実施形態においては、通路４は、二重床２上において、両側の収容ラック３と上部遮蔽体１０と一対の端部遮蔽体１１とに囲まれて閉鎖空間Ｓとされている。
【００２５】
図３は、上部遮蔽体１０を斜め上方側から見た図であり、図４は、図２の上部遮蔽体１０の設置部を拡大して示した図である。
上部遮蔽体１０は、通路４を挟んで対向配置される一方の収容ラック３の上面に締結固定される垂立壁１０ａと、垂立壁１０ａの上端部から通路４の上方を横切って他方の収容ラック３の上方に向かって略水平に延出する上部遮蔽壁１０ｂと、を有している。他方の収容ラック３の上面には、上部遮蔽体１０の上部遮蔽壁１０ｂの延出端の下面を支持する支持部材１２が固定設置されている。したがって、上部遮蔽体１０は、通路４を挟んだ一方の収容ラック３の上面に片持ち支持状態で締結固定されている。上部遮蔽体１０は、通常使用時には、上部遮蔽壁１０ｂの延出端の下面が支持部材１２の上面に当接することにより、他方の収容ラック３との間がほぼ密閉されている。
【００２６】
上部遮蔽壁１０ｂには、通路４の内外を連通する複数の開口部１３Ａ，１３Ｂ，１３Ｃが上部遮蔽壁１０ｂの延出方向に略等間隔に離間して形成されている。この実施形態の場合、各開口部１３Ａ，１３Ｂ，１３Ｃは略長方形状に形成されている。各開口部１３Ａ，１３Ｂ，１３Ｃの開口面積は互いに異なっている。具体的には、各開口部１３Ａ，１３Ｂ，１３Ｃの開口面積は、垂立壁１０ａに近接する側のものが最も大きく、垂立壁１０ａから離間するものほど小さく設定されている。
【００２７】
各開口部１３Ａ，１３Ｂ，１３Ｃの垂立壁１０ａから離間する側の辺には、ヒンジ部１４を介して蓋体１５Ａ，１５Ｂ，１５Ｃが回動可能に取り付けられている。蓋体１５Ａ，１５Ｂ，１５Ｃは、対応する開口部１３Ａ，１３Ｂ，１３Ｃと略同形状・略同サイズに形成され、対応する開口部１３Ａ，１３Ｂ，１３Ｃに対して開閉可能とされている。この実施形態においては、各蓋体１５Ａ，１５Ｂ，１５Ｃと、ヒンジ部１４と、が、通路４の内外の圧力差に応じて対応する開口部１３Ａ，１３Ｂ，１３Ｃを開放する避圧ダンパー１６Ａ，１６Ｂ，１６Ｃを構成している。
【００２８】
各開口部１３Ａ，１３Ｂ，１３Ｃの垂立壁１０ａ側の辺の下縁部には、開口部１３Ａ，１３Ｂ，１３Ｃを閉塞した蓋体１５Ａ，１５Ｂ，１５Ｃの下面を支持するストッパ部材１７が取り付けられている。また、各開口部１３Ａ，１３Ｂ，１３Ｃの垂立壁１０ａ側の辺の上縁部には、対応する蓋体１５Ａ，１５Ｂ，１５Ｃの開放変位を規制する開放規制部材１８が取り付けられている。
なお、この実施形態においては、上部遮蔽体１０に、３つの開口部１３Ａ，１３Ｂ，１３Ｃと、これらに対応する避圧ダンパー１６Ａ，１６Ｂ，１６Ｃとが設けられているが、開口部と避圧ダンパーの数は複数であれば３つに限らず任意である。
【００２９】
ここで、各避圧ダンパー１６Ａ，１６Ｂ，１６Ｃの蓋体１５Ａ，１５Ｂ，１５Ｃは、上下面に作用する通路４の内外の圧力差による上昇力と、自重とのバランスによって開口部１３Ａ，１３Ｂ，１３Ｃを開閉する。各避圧ダンパー１６Ａ，１６Ｂ，１６Ｃの蓋体１５Ａ，１５Ｂ，１５Ｃは、通路４の内外の圧力差が閾値圧力差に満たない間は、対応する開口部１３Ａ，１３Ｂ，１３Ｃを閉じており、通路４の内外の圧力差が閾値圧力差以上になった時点で対応する開口部１３Ａ，１３Ｂ，１３Ｃを開放する。
各避圧ダンパー１６Ａ，１６Ｂ，１６Ｃの閾値圧力差は、夫々異なって設定されており、対応する開口部１３Ａ，１３Ｂ，１３Ｃの開口面積が大きいものほど大きく設定されている。つまり、各避圧ダンパー１６Ａ，１６Ｂ，１６Ｃは、対応する開口部１３Ａ，１３Ｂ，１３Ｃの開口面積が大きいものほど開き難く設定されている。各避圧ダンパー１６Ａ，１６Ｂ，１６Ｃの閾値圧力差は、例えば、以下の(１)，(２)ようにして設定することができる。
【００３０】
(１)  対応する開口部１３Ａ，１３Ｂ，１３Ｃの開口面積が大きいものほど厚みが厚くなるように各蓋体１５Ａ，１５Ｂ，１５Ｃの厚みを異ならせる。
(２)  対応する開口部１３Ａ，１３Ｂ，１３Ｃの開口面積が大きいものほど比重が重くなるように各蓋体１５Ａ，１５Ｂ，１５Ｃの比重を異ならせる。
【００３１】
なお、この実施形態における上部遮蔽体１０は、垂立壁１０ａと上部遮蔽壁１０ｂを有する複数のピースが通路の長手方向に並べられて構成されている。開口部１３Ａ，１３Ｂ，１３Ｃと避圧ダンパー１６Ａ，１６Ｂ，１６Ｃとは、複数のピースのうちの任意のものに設けられている。
【００３２】
この実施形態に係る電算機室空調システム１００は、上部遮蔽体１０を挟んだ通路４の内外の圧力差がいずれの閾値圧力差にも満たないときには、各避圧ダンパー１６Ａ，１６Ｂ，１６Ｃの蓋体１５Ａ，１５Ｂ，１５Ｃは、自重によって上部遮蔽体１０の開口部１３Ａ，１３Ｂ，１３Ｃを閉塞している。
【００３３】
この状態から、通路４に流入する冷却空気の風量と、収容ラック３からの排出空気の風量の差が何等かの原因によって大きくなり、上部遮蔽体１０を挟んだ通路４の内外の圧力差が最も小さい閾値圧力差以上になると、避圧ダンパー１６Ｃの蓋体１５Ｃがヒンジ部１４を中心として上方に持ち上がる。これにより、最も開口面積の小さい開口部１３Ｃが開放され、通路４内の冷却空気の一部が開口部１３Ｃを通って外部に逃がされる。
【００３４】
また、上部遮蔽体１０を挟んだ通路４の内外の圧力差がさらに上昇すると、圧力差に応じて他の避圧ダンパー１６Ｂ，１６Ａの蓋体１５Ｂ，１６Ａもヒンジ部１４を中心としてそれぞれ上方に持ち上がるようになる。これにより、他の開口部１３Ｂ，１３Ａが圧力差に応じて開放され、通路４内の冷却空気の一部が開口部１３Ｂ，１３Ａを通って外部に逃がされる。
【００３５】
以上のように、この実施形態に係る電算機室空調システム１００においては、通路４の上部を遮蔽する上部遮蔽体１０が、開口面積の異なる複数の開口部１３Ａ，１３Ｂ，１３Ｃと、通路４の内外の圧力差に応じて開口部１３Ａ，１３Ｂ，１３Ｃを開放する複数の避圧ダンパー１６Ａ，１６Ｂ，１６Ｃと、を有し、各避圧ダンパー１６Ａ，１６Ｂ，１６Ｃの閾値圧力差が、対応する開口部１３Ａ，１３Ｂ，１３Ｃの開口面積が大きいものほど大きく設定されている。このため、通路４に流入する冷却空気の風量と、収容ラック３からの排出空気の風量の差が何等かの原因によって大きくなった場合に、通路４の内外の圧力差に応じた開口面積で通路４内の圧力を外部に逃がすことができる。したがって、通路４内から外部への冷却空気の流出量を最小限に抑えつつ、通路４内の圧力を適切な圧力に維持することができる。
【００３６】
特に、この実施形態に係る電算機室空調システム１００では、開口面積の異なる複数の開口部１３Ａ，１３Ｂ，１３Ｃが、固定構造物である上部遮蔽体１０に設けられているため、各避圧ダンパー１６Ａ，１６Ｂ，１６Ｃの開閉作動を常に安定したものとすることができる。したがって、避圧ダンパー１６Ａ，１６Ｂ，１６Ｃが作動不良を生じることなく、常に決められた圧力差の状況において、通路４内から外部に安定して圧力を逃がすことができる。
【００３７】
また、この実施形態に係る電算機室空調システム１００では、開口面積の異なる複数の開口部１３Ａ，１３Ｂ，１３Ｃが上部遮蔽体１０上に分散して配置されているため、大流量の冷却空気が外部に逃がされる状況においても、上部遮蔽体１０上に偏った変形応力が生じにくくなる。したがって、上部遮蔽体１０の変形を抑制することができる。
【００３８】
また、この実施形態に係る電算機室空調システム１００においては、各避圧ダンパー１６Ａ，１６Ｂ，１６Ｃが、対応する開口部１３Ａ，１３Ｂ，１３Ｃを開閉する蓋体１５Ａ，１５Ｂ，１５Ｃと、蓋体１５Ａ，１５Ｂ，１５Ｃを上部遮蔽体１０に回動可能に連結するヒンジ部１４と、を備えた構成とされている。このため、各避圧ダンパー１６Ａ，１６Ｂ，１６Ｃの蓋体１５Ａ，１５Ｂ，１５Ｃは、ヒンジ部１４によって拘束されて常に一定軌道で安定的に動作する。したがって、この構造を採用することにより、避圧ダンパー１６Ａ，１６Ｂ，１６Ｃの蓋体１５Ａ，１５Ｂ，１５Ｃの作動をより安定させることができる。
【００３９】
ところで、上述した実施形態においては、避圧ダンパー１６Ａ，１６Ｂ，１６Ｃの各蓋体１５Ａ，１５Ｂ，１５Ｃが上部遮蔽体１０の延出方向に沿って開閉する構造とされているが、図５に示すように、避圧ダンパー１１６Ａ，１１６Ｂ，１１６Ｃの各蓋体１１５Ａ，１１５Ｂ，１１５Ｃは、上部遮蔽体１０の延出方向と略直交する方向に開閉する構造であっても良い。また、各蓋体１１５Ａ，１１５Ｂ，１１５Ｃの形状(長辺と短片の比率)も、蓋体１１５Ａ，１１５Ｂ，１１５Ｃ毎に異ならせても良い。
【００４０】
また、上記の実施形態の電算機室１０１は、冷却空気が導入される通路４の上部が上部遮蔽体１０によって覆われるものであるが、収容ラック３から温熱空気が排出される通路の上部が同様の上部遮蔽体１０によって覆われるものであっても良い。
【００４１】
図６は、収容ラック３から温熱空気が排出される通路２０４の上部が上部遮蔽体１０によって覆われる第２の実施形態の電算機室空調システム２００を示す図である。なお、図６において、図１〜図４に示す実施形態と同一部分には同一符号を付してある。
電算機室２０１は、複数列に配置された収容ラック３の間に各収容ラック３から温熱空気が排出される通路２０４が形成され、上記の実施形態と同様の上部遮蔽体１０が通路２０４の上部を覆っている。通路２０４の下方の二重床２には、空気調和装置６の吸込口６aに連なる内部空間５に連通する排出孔２０８が形成されている。上部遮蔽体１０には、開口面積の異なる複数の開口部１３Ａ，１３Ｂ，１３Ｃと、各開口部１３Ａ，１３Ｂ，１３Ｃを開閉する避圧ダンパー１６Ａ，１６Ｂ，１６Ｃと、が設けられている。この実施形態の場合も、各避圧ダンパー１６Ａ，１６Ｂ，１６Ｃの閾値圧力差は、対応する開口部１３Ａ，１３Ｂ，１３Ｃの開口面積が大きいものほど大きく設定されている。
この第２の実施形態に係る電算機室空調システム２００の場合も、上記の実施形態と同様の効果を得ることができる。
【００４２】
図７は、第３の実施形態の電算機室空調システム３００の上部遮蔽体１０の設置部を拡大して示した図である。なお、図１〜図３に示した第１の実施形態と同一部分には同一符号を付してある。
第３の実施形態の電算機室空調システム３００は、上部遮蔽体１０に設置される各避圧ダンパー１６Ａ，１６Ｂ，１６Ｃが、各開口部１３Ａ，１３Ｂ，１３Ｃに対応する蓋体１５Ａ，１５Ｂ，１５Ｃの開作動をロック可能なロック機構３０を備えている。この実施形態の場合、ロック機構３０は、作業者による手動操作により、ロック状態とアンロック状態とが切り換え可能となっている。他の構成は第１の実施形態と同様とされている。
【００４３】
ロック機構３０は、例えば、ヒンジ部１４のヒンジピン回りの回転を拘束する制動機構等によって構成することができる。ロック機構３０としては、ヒンジピン回りの隙間にストッパを挿入することによってヒンジ部１４の回動をロックするものの他、開放規制部材１８の規制部の間隔を調整可能にし、開放規制部材１８の規制部の間隔を最小にすることにより、蓋体１５Ａ，１５Ｂ，１５Ｃの開作動をロックするもの等も採用することができる。
【００４４】
この第３の実施形態の電算機室空調システム３００は、基本的に第１の実施形態と同様の効果を得ることができるが、各避圧ダンパー１６Ａ，１６Ｂ，１６Ｃにロック機構３０が設けられているため、以下のようなさらなる効果を得ることができる。
即ち、実際のシステムの運転時には、一部の避圧ダンパー１６Ａ，１６Ｂ，１６Ｃが殆ど作動しない場合や、逆に頻繁に開閉作動をし過ぎることがあり、このような場合に開作動が不要と判断できる避圧ダンパー１６Ａ，１６Ｂ，１６Ｃを、作業者がロック機構３０で適宜作動をロックすることができる。
したがって、この第３の実施形態の電算機室空調システム３００を採用した場合には、実際のシステムの運転に即して避圧ダンパー１６Ａ，１６Ｂ，１６Ｃの作動・非作動を容易に調整することができる。
なお、ロック機構３０は、モータ等のアクチュエータによってロック操作とアンロック操作を行えるようにしても良い。また、各開口部１３Ａ，１３Ｂ，１３Ｃの近傍部に通路４の内外の圧力差を検出する差圧センサを設け、その差圧センサの検出値に基づいて各避圧ダンパー１６Ａ，１６Ｂ，１６Ｃのばたつきを判断できるようにしても良い。この場合、各避圧ダンパー１６Ａ，１６Ｂ，１６Ｃのばたつき頻度を表示部に表示し、作業者が、その表示を基にして、ロック機構３０を操作できるようにすることが望ましい。
【００４５】
図８は、第４の実施形態の電算機室空調システム４００の上部遮蔽体１０の設置部を拡大して示した図である。なお、図１〜図３に示した第１の実施形態と同一部分には同一符号を付してある。
第４の実施形態の電算機室空調システム４００は、上部遮蔽体１０の各開口部１３Ａ，１３Ｂ，１３Ｃの近傍部に、通路４の内側の圧力を検出する圧力センサ４０Ａ−１，４０Ｂ−１，４０Ｃ−１と外側の圧力を検出する圧力センサ４０Ａ−２，４０Ｂ−２，４０Ｃ−２とが設けられている。この実施形態の場合、各開口部１３Ａ，１３Ｂ，１３Ｃの近傍部に設置される内側と外側の圧力センサ４０Ａ−１，４０Ａ−２、４０Ｂ−１，４０Ｂ−２、４０Ｃ−１，４０Ｃ−２はそれぞれ対をなし、各開口部１３Ａ，１３Ｂ，１３Ｃの内外の圧力差を検出する差圧センサを構成している。
【００４６】
また、各開口部１３Ａ，１３Ｂ，１３Ｃを開閉する避圧ダンパー１６Ａ，１６Ｂ，１６Ｃの蓋体１５Ａ，１５Ｂ，１５Ｃは、モータ等の開閉アクチュエータ４１Ａ，４１Ｂ，４１Ｃによって開閉操作されるようになっている。各開閉アクチュエータ４１Ａ，４１Ｂ，４１Ｃは、制御装置４２によって制御される。
【００４７】
制御装置４２は、各圧力センサ４０Ａ−１，４０Ａ−２、４０Ｂ−１，４０Ｂ−２、４０Ｃ−１，４０Ｃ−２から検出信号を受け取り、各開口部１３Ａ，１３Ｂ，１３Ｃの内外の検出圧力差が、予め定められた閾値圧力差以上になったときに、対応する避圧ダンパー１６Ａ，１６Ｂ，１６Ｃの蓋体１５Ａ，１５Ｂ，１５Ｃを開作動させる。なお、各開口部１３Ａ，１３Ｂ，１３Ｃの閾値圧力差は、開口部の開口面積が大きいものほど大きく設定されている。
【００４８】
この第４の実施形態の電算機室空調システム４００においては、避圧ダンパー１６Ａ，１６Ｂ，１６Ｃの蓋体１５Ａ，１５Ｂ，１５Ｃが、圧力センサ４０Ａ−１，４０Ａ−２、４０Ｂ−１，４０Ｂ−２、４０Ｃ−１，４０Ｃ−２の検出結果に基づく制御装置４２による制御により、開閉アクチュエータ４１Ａ，４１Ｂ，４１Ｃによって開閉操作される。この実施形態は、上述した第１の実施形態とは各避圧ダンパー１６Ａ，１６Ｂ，１６Ｃが開閉アクチュエータ４１Ａ，４１Ｂ，４１Ｃによって操作される点で異なるものの、第１の実施形態とほぼ同様の効果を得ることができる。
【００４９】
また、制御装置４２は、電算機室空調システム４００の運転状況に応じて、閾値圧力差に拘わらず任意の避圧ダンパー１６Ａ，１６Ｂ，１６Ｃの開き方向の作動をロックするロック制御部を有する構成としても良い。
【００５０】
この場合、電算機室空調システム４００の実際の運転時に、殆ど作動しない避圧ダンパー１６Ａ，１６Ｂ，１６Ｃがあるときや、逆に頻繁に開閉作動をし過ぎる避圧ダンパー１６Ａ，１６Ｂ，１６Ｃがあるときに、制御装置４２が各開口部１３Ａ，１３Ｂ，１３Ｃでの差圧データに基づいてその避圧ダンパー１６Ａ，１６Ｂ，１６Ｃを特定し、その避圧ダンパー１６Ａ，１６Ｂ，１６Ｃの開作動をロックする。この実施形態においては、以上のようにして実際の電算機室空調システム４００の運転に応じて避圧ダンパー１６Ａ，１６Ｂ，１６Ｃの作動・非作動を自動調整することができる。
【００５１】
ところで、この実施形態においては、圧力センサ４０Ａ−１，４０Ａ−２、４０Ｂ−１，４０Ｂ−２、４０Ｃ−１，４０Ｃ−２の各対によって差圧センサを構成しているが、差圧センサーは、この構成に限らず、各開口部１３Ａ，１３Ｂ，１３Ｃの内外の温度を温度センサによって検出し、その温度センサの検出温度に基づいて内外の差圧を判断するようにしても良い。
また、制御装置４２は、各差圧センサの検出値に基づいて、避圧ダンパー１６Ａ，１６Ｂ，１６Ｃの開度も併せて制御するようにしても良い。
【００５２】
なお、この発明は上記の実施形態に限定されるものではなく、その要旨を逸脱しない範囲で種々の設計変更が可能である。例えば、上記の実施形態においては、空気調和装置６から吹出された冷却空気が二重床２の下方の内部空間５を通って通路４内に導入されているが、図９に示すように、空気調和装置６は、吹出口６ｂが通路４に直接臨むように任意の収容ラック３に隣接して配置するようにしても良い。図９においては、図１〜図３に示す実施形態と同一部分に同一符号を付してある。
【符号の説明】
【００５３】
３…収容ラック
６…空気調和装置
１０…上部遮蔽体
１３Ａ，１３Ｂ，１３Ｃ…開口部
１４…ヒンジ部
１５Ａ，１５Ｂ，１５Ｃ…蓋体
１６Ａ，１６Ｂ，１６Ｃ…避圧ダンパー
３０…ロック機構
４０Ａ−１，４０Ａ−２…圧力センサ(差圧センサ)
４０Ｂ−１，４０Ｂ−２…圧力センサ(差圧センサ)
４０Ｃ−１，４０Ｃ−２…圧力センサ(差圧センサ)
４１Ａ，４１Ｂ，４１Ｃ…開閉アクチュエータ
４２…制御装置
１００，２００，３００，４００…電算機室空調システム
【図１】
0006586381.tif 000002
【図２】
0006586381.tif 000003
【図３】
0006586381.tif 000004
【図４】
0006586381.tif 000005
【図５】
0006586381.tif 000006
【図６】
0006586381.tif 000007
【図７】
0006586381.tif 000008
【図８】
0006586381.tif 000009
【図９】
0006586381.tif 000010